(57)【要約】【課題】従来から使用されているピックを更に改良し、人が指で弦を弾いた場合の音により近いソフトな音を発する弦楽器用ピックを提供する。  【解決手段】先部に先端に向って幅狭になった爪弾き部１１を備える平板状のピック板１２の中間部に肉厚部１４、１５を設け、その基部に掴み部１６を設けた。なお、肉厚部１４、１５はピック板１２の片側のみにある場合と、両側にある場合があり、ピック板１２の形状は、通常の周辺部が丸みを帯びた三角形状の他、ダイヤモンド形状、ハート形状、スペード形状、爪を伸ばした指先形状がある。【選択図】図１
0003137448.tif 000002
【実用新案登録請求の範囲】
【請求項１】
先部に爪弾き部を備えるピック板の中間部に、肉厚部を設けたことを特徴とする弦楽器用ピック。
【請求項２】
請求項１記載の弦楽器用ピックにおいて、前記肉厚部の先側に突出する前記ピック板の爪弾き部の長さは１〜１０ｍｍの範囲にあることを特徴とする弦楽器用ピック。
【請求項３】
請求項１及び２のいずれか１項に記載の弦楽器用ピックは、前記肉厚部から先側に位置する前記ピック板は先端方向に薄くなっていることを特徴とする弦楽器用ピック。
【請求項４】
請求項１〜３のいずれか１項に記載の弦楽器用ピックにおいて、前記肉厚部の更に基側には平板状の掴み部を有することを特徴とする弦楽器用ピック。
【請求項５】
請求項１〜４のいずれか１項に記載の弦楽器用ピックにおいて、前記肉厚部は該肉厚部の表面を覆う表層皮と該表層皮の内部に充填配置された芯材とを有することを特徴とする弦楽器用ピック。
【請求項６】
請求項１〜５のいずれか１項に記載の弦楽器用ピックにおいて、前記ピック板は硬質樹脂板からなって、前記肉厚部は柔軟性部材からなって、前記ピック板に固着されたものであることを特徴とする弦楽器用ピック。
【請求項７】
請求項１〜６のいずれか１項に記載の弦楽器用ピックにおいて、前記肉厚部は前記ピック板の片側のみに設けられていることを特徴とする弦楽器用ピック。
【請求項８】
請求項１〜６のいずれか１項に記載の弦楽器用ピックにおいて、前記肉厚部は前記ピック板の両側に設けられていることを特徴とする弦楽器用ピック。
【請求項９】
請求項１〜８のいずれか１項に記載の弦楽器用ピックにおいて、前記肉厚部の先部が前記ピック板に滑らかに連接されていることを特徴とする弦楽器用ピック。
【請求項１０】
請求項１〜９のいずれか１項に記載の弦楽器用ピックにおいて、前記ピック板は平面視して角部を丸くした三角形状、平面視して各辺を外側に膨出した三角形状、平面視して先部を丸くしたダイヤモンド形状、ハート形状、先部を丸くしたスペード形状、及び爪を伸ばした指先形状のいずれか１であることを特徴とする弦楽器用ピック。
【考案の詳細な説明】
【技術分野】
【０００１】
本考案は、ギター、マンドリン等のピックを用いて演奏する楽器に使用する弦楽器用ピックに関する。
【背景技術】
【０００２】
特許文献１、２に開示されているように、従来の弦楽器用ピック（以下、単に「ピック」と称する場合もある）は硬質のプラスチックを使用していた。そのピックで弾く音はやや硬質の音を出しやすい。アコースティックギターで弾く時も、あるいは電気ギターで弾く時も、ピックで弾く音はやや生硬い音がするようであり、はっきりしたアクセントの強い音がする。
一方、普通人が指で弾くギターの音は柔かいソフトタッチの音がするが、人の指でギターを弾く場合には、指頭が弦に当たって発する音と、爪を主に使ってギターを引く場合は、若干、音が異なるようである。即ち、指頭で弾く時は、音が柔かく聞こえ、主に爪で弾く時は、やや硬い音（ソフトではあるが）がするようである。従って、ギターを弾く時、人間の指で弾くのが、それがアコースティックギターであれ、電気ギターであれ、理想である。
【０００３】
【特許文献１】特開２００３−１６７５７３号公報
【特許文献２】実開平６−７８９９３号公報
【考案の開示】
【考案が解決しようとする課題】
【０００４】
しかしながら、前述のように、硬質性のプラスチック板を用いたピックは、アコースティックギターであれ、電気ギターであれ、加工された硬い音に聞こえる。
そこで、本考案者は、ピックの一部に、人間の指に似た部分を設けてはどうかと考えた。その結果、人間の爪をピックと考え、人間の爪に密着している指の肉を考慮して、ギターを含めて弦楽器を弾く時の音色を柔らかくするため、そのピックの表や裏に、人の指先に似た厚み部を設けた弦楽器用ピックを考案した。
【０００５】
本考案は係る事情に鑑みてなされたもので、従来から使用されているピックを更に改良し、人が指で弦を弾いた場合の音により近いソフトな音を発する弦楽器用ピックを提供することを目的とする。
【課題を解決するための手段】
【０００６】
前記目的に沿う第１の考案に係る弦楽器用ピックは、先部に爪弾き部を備えるピック板の中間部に、肉厚部を設けた。なお、爪弾き部は平板状であってもよいし、また先側に向って徐々に幅狭となっているものでもよい。
【０００７】
また、第２の考案に係る弦楽器用ピックは、第１の考案に係る弦楽器用ピックにおいて、前記肉厚部の先側に突出する前記ピック板の爪弾き部の長さは１〜１０ｍｍ（更に好ましくは３〜７ｍｍ）の範囲にある。これによって、適当に弦を肉厚部に当てながら弾くことができる。
【０００８】
第３の考案に係る弦楽器用ピックは、第１、第２の考案に係る弦楽器用ピックにおいて、前記肉厚部から先側に位置する前記ピック板は先端方向に薄くなっている。このように構成することによって、ピック板の先側が基側より柔らかくなり、弦を弾いた音が柔らかくなる。
【０００９】
第４の考案に係る弦楽器用ピックは、第１〜第３の考案に係る弦楽器用ピックにおいて、前記肉厚部の更に基側には平板状の掴み部を有する。これによって、奏者が指でこの掴み部を持つことができ、操作性に優れた弦楽器用ピックとなる。
【００１０】
第５の考案に係る弦楽器用ピックは、第１〜第４の考案に係る弦楽器用ピックにおいて、前記肉厚部は該肉厚部の表面を覆う表層皮と該表層皮の内部に充填配置された芯材とを有する。これによって、表層皮と芯材は別々の材料で構成でき、表層皮には磨耗に強い材料を、芯材にはある程度硬くて柔軟性を有する材料を使用できる。
【００１１】
第６の考案に係る弦楽器用ピックは、第１〜第５の考案に係る弦楽器用ピックにおいて、前記ピック板は硬質樹脂板からなって、前記肉厚部は柔軟性部材からなって、前記ピック板に固着されたものである。これによって、肉厚部の強度及び柔らかさを自由に調整できる。
【００１２】
第７の考案に係る弦楽器用ピックは、第１〜第６の考案に係る弦楽器用ピックにおいて、前記肉厚部は前記ピック板の片側のみに設けられている。これによって、肉厚部が形成されたピック板の一方側と他方側を区別して使用でき、肉厚部に弦を当てるか否かで異なる音色を出すことが可能となる。
【００１３】
第８の考案に係る弦楽器用ピックは、第１〜第６の考案に係る弦楽器用ピックにおいて、前記肉厚部は前記ピック板の両側に設けられている。これよって、裏表変わりなく使用できる。
【００１４】
第９の考案に係る弦楽器用ピックは、第１〜第８の考案に係る弦楽器用ピックにおいて、前記肉厚部の先部は前記ピック板に滑らかに連結されている。ここで、肉厚部がピック板に滑らかに連結されるとは、ピック板に接する肉厚部の先端部の接触角が鋭角（例えば、３０度を超え９０度未満、より好ましくは８０度未満、更に好ましくは７０度未満）であることをいう。これによって、肉厚部とピック板との連結が強くなると共に、肉厚部に当たった弦が肉厚部の前側傾斜面を滑るようにして弾かれる。
【００１５】
そして、第１０の考案に係る弦楽器用ピックは、第１〜第９の考案に係る弦楽器用ピックにおいて、前記ピック板は平面視して角部を丸くした三角形状、平面視して各辺を外側に膨出した三角形状、平面視して先部を丸くしたダイヤモンド形状、ハート形状、先部を丸くしたスペード形状、及び爪を伸ばした指先形状のいずれか１である。これによって、好みに応じた弦楽器用ピックを使用できる。
【考案の効果】
【００１６】
本考案に係る弦楽器用ピックは、先部に爪弾き部を備えるピック板の中間部に、肉厚部を設けているので、弦をまず肉厚部に当てて、次に爪弾き部に当てるようにして弾くと、人の指で弦を弾くような弾き方となるので、音色が柔らかくなる。また、爪弾き部の部分だけでも弾くことができ、この場合は爪のみで弦楽器を弾くのと同様の音となる。
【考案を実施するための最良の形態】
【００１７】
続いて、添付した図面を参照しつつ、本考案を具体化した実施の形態につき説明し、本考案の理解に供する。
ここで、図１は本考案の第１の実施の形態に係る弦楽器用ピックの説明図であって、（Ａ）は側面図、（Ｂ）は正面図、（Ｃ）及び（Ｄ）は同弦楽器用ピックの使用状態の説明図、図２は本考案の第２の実施の形態に係る弦楽器用ピックの側断面図、図３（Ａ）は本考案の第３の実施の形態に係る弦楽器用ピックの側面図、（Ｂ）は背面図、図４（Ａ）〜（Ｃ）はそれぞれ本考案の第４の実施の形態に係る弦楽器用ピックの正面図、側面図、底面図、図５（Ａ）〜（Ｅ）はそれぞれ本考案の第５〜第９の実施の形態に係る弦楽器用ピックの説明図、図６（Ａ）〜（Ｄ）は本考案の第３の実施の形態に係る弦楽器用ピックの動作説明図、図７（Ａ）〜（Ｄ）は人の指で弦を弾いた場合の説明図である。
【００１８】
図１（Ａ）、（Ｂ）に示すように本考案の第１の実施の形態に係る弦楽器用ピック１０は、平板状で先端に向って徐々に幅狭になった爪弾き部１１を先側に備えるピック板１２の中間部の表裏に、肉厚部１４、１５を設けている。以下、これらについて詳しく説明する。
【００１９】
ピック板１２は厚みが０．５〜２ｍｍの範囲にある硬質合成樹脂板（例えば、塩化ビニール、ポリプロピレン、ポリカーボネイト、ＡＢＳ樹脂）からなって、この実施の形態では、左右対称で先部の爪弾き部１１が基部の掴み部１６より曲率半径の小さい長円形状（略卵形状）となっている。先端から基端までの長さａは２．５〜７ｃｍで、横幅ｂは２．５〜７ｃｍの範囲にあるのが好ましい。
【００２０】
肉厚部１４、１５の先側に突出する爪弾き部１１の軸心長さｃは、１〜１０ｍｍ（好ましくは、２〜７ｍｍ、更に好ましくは２〜５ｍｍ）の範囲にあり、平板状の掴み部１６の軸心長さｄは１０〜２０ｍｍの範囲にある。
この実施の形態では、肉厚部１４、１５は中硬質又はゴムのようにある程度の弾性を有する部材、例えば、ポリウレタン、塩化ビニール、又はゴム材（ネオプレン、ブタジエン、イソプレン、シリコン）からなる弾性部材又は柔軟性部材から構成され、接着剤を介して又は加熱焼き付け処理を行ってピック板１２に接合されている。肉厚部１４、１５の先側表面（即ち、傾斜面１７、１８）とピック板１２との角度（接触角）α、βは３０〜８０度（より好ましくは、５５〜７５度）の範囲にあって、肉厚部１４、１５の先部がピック板１２に滑らかに連接されているので、例えば、ギターの弦１９が傾斜面１８（又は１７）上を滑って、爪弾き部１１に触れるようになっている。
【００２１】
肉厚部１４、１５は、厚みが２〜１０ｍｍ（好ましくは、４〜７ｍｍ）となって、中央に平坦部２０、２１を備えその周囲に傾斜面１７、１８を備えている。先側の傾斜面１７、１８はその長さが長くなっているが両側及び基側の傾斜面１７、１８はその長さが短くなって、傾斜角度が９０度に近くなっている。
肉厚部１４、１５の幅はピック板１２の幅の４５〜６５％程度となって、周囲にピック板１２の表面を露出させている。
【００２２】
図１（Ｃ）、（Ｄ）に示すように、この弦楽器用ピック１０を用いる場合は、掴み部１６を親指２２と人指し指２３とで挟んで、弾き始めは弦１９を肉厚部１５の先側の傾斜面１８（又は肉厚部１４の先側の傾斜面１７）に当てて、爪弾くと弦１９が傾斜面１８上を滑って、爪弾き部１１に当たり、弦１９を弾くことになる。爪弾き部１１の軸心長さが比較的短いので、又は長くても比較的速い動作で弦１９を爪弾くと、肉厚部１５で弦１９を弾くようになり、音が滑らかになる。なお、弦１９の爪弾きは爪弾き部１１の裏側だけでなく表側でも行え、更に交互に両側を使用することもできる。
【００２３】
次に、図２に示す本考案の第２の実施の形態に係る弦楽器用ピック２５について説明するが、ピック板２４の両側面に配置される肉厚部２６、２７が、それぞれ表層皮２８、２９とその内部に充填配置された芯材３０、３１とを有して構成されている。この場合の表層皮２８、２９に天然皮（例えば、牛皮）、人工皮、耐磨耗性のあるシート材を使用し、芯材３０、３１にウレタンゴム、天然ゴム、人造ゴム、綿、布材、硬質プラスチック、又はスポンジ等を使用することによって、人の指に近づけることができる。これによって、より人が指で弾いたときの音色に爪弾き音を近づけることができる。
【００２４】
また、この実施の形態に係る弦楽器用ピック２５においては、ピック板２４の先部にある爪弾き部３２が先部方向に徐々に薄くなっている。これによって、ピック板２４に撓り（しなり）を与えてより滑らかな音を出すことができる。なお、肉厚部２６、２７の外側形状及びピック板２４は、第１の実施の形態に係る弦楽器用ピック１０と同様である。
【００２５】
図３（Ａ）、（Ｂ）には、本考案の第３の実施の形態に係る弦楽器用ピック３５を示すが、片側のみに肉厚部３６がピック板１２に貼着されて設けられている。なお、肉厚部３６の構造は第１の実施の形態に係る弦楽器用ピック１０又は第２の実施の形態に係る弦楽器用ピック２５と基本的に同一である。
片側の場合は、弦楽器用ピック３５の操作方向によって、弦１９の弾き具合が異なることになり、結果として異なる音色を発生させることができる。即ち、弦楽器用ピック３５は、図６（Ａ）〜（Ｄ）に示すように、幅狭になった爪弾き部１１を備えるピック板１２の中間部に、肉厚部３６を設けているので、弦１９をまず肉厚部３６に当てて、次に爪弾き部１１に当てるようにして弾く。これによって、図７（Ａ）〜（Ｄ）に示すように、人の指６７で弦１９を弾くような弾き方となるので、音色が柔らかくなる。また、爪弾き部１１の部分だけでも弦１９を弾くことができ、この場合は爪６８のみで弦楽器を弾くのと同様の音となる。
【００２６】
図４（Ａ）〜（Ｃ）には本考案の第４の実施の形態に係る弦楽器用ピック３８を示すが、ピック板３９とその中間部に貼着されている肉厚部４０とを有し、ピック板３９上には、肉厚部４０の先側に爪弾き部４１が、基側に掴み部４２がそれぞれ形成されている。
ピック板３９は厚みが０．３〜１．５ｍｍ程度で、掴み部４２の部分は平板状となって、爪弾き部４１及び肉厚部４０が貼着されている部分は横断面円弧状となって人の爪に似せている。爪弾き部４１の湾曲形状の曲率は、例えば、４０〜１２０ｍｍ程度となっている。爪弾き部４１の突出長さは１〜４ｍｍ程度とするのがよい。
【００２７】
肉厚部４０の先側の傾斜面４３はピック板３９とのなす角度γが、４５〜７０度の範囲にあるが、人の指先のように先部を丸くしてもよい。肉厚部４０は弾力性を有する材料、例えば、中硬質のポリウレタンゴム、ブタジエンゴム、シリコンゴム、ネオプレンゴムであっても、中軟質の合成樹脂（いずれも柔軟性部材の一例）等であってもよいが、耐磨耗性に劣る場合は、表面に耐磨耗性のよい表層皮を設けることもできる。
この実施の形態に係る弦楽器用ピック３８は、爪を伸ばした人の指の形状に近づけているので、より柔らかい爪弾き音を発生させることができる。
【００２８】
続いて、図５（Ａ）〜（Ｅ）を参照しながら、本考案の第５〜第９の実施の形態に係る弦楽器用ピック４６〜５０について説明する。各実施の形態において、肉厚部５１〜５５はピック板５６〜６０の片側のみしか記載されていないが、ピック板５６〜６０の片面のみに肉厚部５１〜５５がある場合の他、ピック板５６〜６０の両面に肉厚部５１〜５５がある場合も本考案は適用される。
【００２９】
図５（Ａ）の弦楽器用ピック４６は、平面視して角部が丸くなった三角形状のピック板５６に肉厚部５１が設けられている。肉厚部５１はピック板５６と相似形状となって、その中央に設けられている。これによって、周囲に爪弾き部となる板状部を形成できる。なお、肉厚部５１をピック板５６と非相似形とすることは当然できる。
【００３０】
図５（Ｂ）はピック板５７の輪郭を形成する辺が外側に膨出した三角形状の弦楽器用ピック４７を示すが、これによって、各辺の周縁を弦に当てて爪弾くことができる。図５（Ｃ）は角部を丸くしたダイヤモンド形状のピック板５８を使用し、肉厚部５３は略三角形状としている。これによって、基部に幅広の掴み部６１が形成できる。
【００３１】
図５（Ｄ）は、先部を丸くしたハート形状のピック板５９に丸みを帯びた三角形状の肉厚部５４を配置した弦楽器用ピック４９を示し、また、図５（Ｅ）は先部を丸くしたスペード状のピック板６０を有する弦楽器用ピック５０を示す。これらは、図において下部位置に爪弾き部６２、６３を、上部位置に掴み部６４、６５を備える。これらは意匠性に優れるので、これによって需要を喚起することができる。
【００３２】
本考案は前記第１〜第９の実施の形態に限定されるものではなく、本考案の要旨を変更しない範囲での改良、変更はあり得る。また、第１〜第９の実施の形態に係る弦楽器用ピックの各構成要素を組み合わせる場合も本考案は適用される。
【図面の簡単な説明】
【００３３】
【図１】本考案の第１の実施の形態に係る弦楽器用ピックの説明図であって、（Ａ）は側面図、（Ｂ）は正面図、（Ｃ）及び（Ｄ）は同弦楽器用ピックの使用状態の説明図を示す。
【図２】本考案の第２の実施の形態に係る弦楽器用ピックの側断面図である。
【図３】（Ａ）は本考案の第３の実施の形態に係る弦楽器用ピックの側面図、（Ｂ）は背面図である。
【図４】（Ａ）〜（Ｃ）はそれぞれ本考案の第４の実施の形態に係る弦楽器用ピックの正面図、側面図、底面図である。
【図５】（Ａ）〜（Ｅ）はそれぞれ本考案の第５〜第９の実施の形態に係る弦楽器用ピックの説明図である。
【図６】（Ａ）〜（Ｄ）は本考案の第３の実施の形態に係る弦楽器用ピックの動作説明図である。
【図７】（Ａ）〜（Ｄ）は人の指で弦を弾いた場合の説明図である。
【符号の説明】
【００３４】
１０：弦楽器用ピック、１１：爪弾き部、１２：ピック板、１４、１５：肉厚部、１６：掴み部、１７、１８：傾斜面、１９：弦、２０、２１：平坦部、２２：親指、２３：人指し指、２４：ピック板、２５：弦楽器用ピック、２６、２７：肉厚部、２８、２９：表層皮、３０、３１：芯材、３２：爪弾き部、３５：弦楽器用ピック、３６：肉厚部、３８：弦楽器用ピック、３９：ピック板、４０：肉厚部、４１：爪弾き部、４２：掴み部、４３：傾斜面、４６〜５０：弦楽器用ピック、５１〜５５：肉厚部、５６〜６０：ピック板、６１：掴み部、６２、６３：爪弾き部、６４、６５：掴み部、６７：指、６８：爪
【図１】
0003137448.tif 000003
【図２】
0003137448.tif 000004
【図３】
0003137448.tif 000005
【図４】
0003137448.tif 000006
【図５】
0003137448.tif 000007
【図６】
0003137448.tif 000008
【図７】
0003137448.tif 000009